(57)【要約】【課題】視差制御によって表示画像を視差表示する液晶表示電子機器に対して視差制御を受けた入力画像を検出させることが可能な入力ペン、およびこの入力ペンを適用した液晶表示電子機器を提供する。【解決手段】入力ペン３５は、画像入力部３０に対向する板状の先端板部３６と、先端板部３６に交差する方向で先端板部３６に自在連結部３７を介して連結された棒状の胴体部３８とを備える。先端板部３６は、周囲の光度が明るい状態では、外光ＬＬによって例えば影信号ＳＬＳを生じることから、入力画像検出部４０で影信号ＬＳＬを光信号ＬＳとして検出することが可能となる。影信号ＳＬＳを検出する場合は、入力画像検出部４０での検出結果を反転させることによって、画像表示信号Ｓｄｉｍを生成する。【選択図】図３Ａ
2009205376.tif 000002
【特許請求の範囲】
【請求項１】
液晶表示部と、該液晶表示部に重畳して配置され前記液晶表示部が第１視認方向に向けて第１視認方向表示画像を表示し、第２視認方向に向けて第２視認方向表示画像を表示するように前記液晶表示部に対して視差制御を施す視差制御部と、該視差制御部に重畳して配置され入力画像が入力される画像入力部と、該画像入力部へ入力された入力画像を前記第１視認方向または前記第２視認方向に対応させて検出する入力画像検出部と、該入力画像検出部が検出した入力画像に応じて前記第１視認方向表示画像／前記第２視認方向表示画像を表示する構成とされた液晶表示電子機器に適用される入力ペンであって、
前記画像入力部に対向する板状の先端板部と、
該先端板部に交差する方向で前記先端板部に連結された棒状の胴体部とを備えること
を特徴とする入力ペン。
【請求項２】
請求項１に記載の入力ペンであって、
前記先端板部は、前記画像入力部に対向する面に前記入力画像検出部で検出される認識マークを有すること
を特徴とする入力ペン。
【請求項３】
請求項２に記載の入力ペンであって、
前記先端板部は、透光性材料で形成してあること
を特徴とする入力ペン。
【請求項４】
請求項２に記載の入力ペンであって、
前記認識マークおよび前記認識マークに対応する領域の前記先端板部は、透光性材料で形成してあること
を特徴とする入力ペン。
【請求項５】
請求項３に記載の入力ペンであって、
前記認識マークは、前記認識マークに対する外光を反射するハーフミラーで形成してあること
を特徴とする入力ペン。
【請求項６】
請求項２ないし請求項５のいずれか一つに記載の入力ペンであって、
前記認識マークは、前記視差制御部が有する視差制御ピッチに対して３倍以上の直径を有する円形としてあること
を特徴とする入力ペン。
【請求項７】
請求項２ないし請求項５のいずれか一つに記載の入力ペンであって、
前記認識マークは、正多角形で構成してあること
を特徴とする入力ペン。
【請求項８】
請求項７に記載の入力ペンであって、
前記正多角形の頂点の数は、３であること
を特徴とする入力ペン。
【請求項９】
請求項１ないし請求項８のいずれか一つに記載の入力ペンであって、
前記先端板部は、胴体部に対して取り外し可能な構成としてあること
を特徴とする入力ペン。
【請求項１０】
請求項１ないし請求項９のいずれか一つに記載の入力ペンであって、
前記胴体部に内蔵された発光部と、該発光部からの光信号を入力画像として前記画像入力部へ導光する導光路とを備えること
を特徴とする入力ペン。
【請求項１１】
請求項１０に記載の入力ペンであって、
前記発光部の発光色は、赤系、青系、緑系、または白色系のいずれか一つであること
を特徴とする入力ペン。
【請求項１２】
請求項１０に記載の入力ペンであって、
前記発光部の発光色は、赤系、青系、緑系、または白色系の内２色以上で切り替え可能な構成としてあること
を特徴とする入力ペン。
【請求項１３】
請求項１０に記載の入力ペンであって、
前記発光部の発光色は、白色系で切り替え可能な構成としてあること
を特徴とする入力ペン。
【請求項１４】
請求項１ないし請求項１３のいずれか一つに記載の入力ペンであって、
前記胴体部は、前記先端板部に取り付けられ前記胴体部を自在に屈曲する自在連結部を介して前記先端板部に連結してあること
を特徴とする入力ペン。
【請求項１５】
液晶表示部と、該液晶表示部に重畳して配置され前記液晶表示部が第１視認方向に向けて第１視認方向表示画像を表示し、第２視認方向に向けて第２視認方向表示画像を表示するように前記液晶表示部に対して視差制御を施す視差制御部と、該視差制御部に重畳して配置され入力画像が入力される画像入力部と、該画像入力部へ入力された入力画像を前記第１視認方向または前記第２視認方向に対応させて検出する入力画像検出部と、該入力画像検出部が検出した入力画像に応じて前記第１視認方向表示画像／前記第２視認方向表示画像を表示する構成とされた液晶表示電子機器であって、
前記画像入力部への入力画像の入力は、請求項１ないし請求項１５のいずれか一つに記載の入力ペンで実行される構成としてあること
を特徴とする液晶表示電子機器。
【請求項１６】
請求項１５に記載の液晶表示電子機器であって、
前記入力画像検出部が検出した入力画像に画像演算処理を施して入力画像に対応する画像表示信号を生成する画像表示信号生成部を備え、
前記液晶表示部は、前記画像表示信号に応じて前記第１視認方向表示画像／前記第２視認方向表示画像を表示する液晶駆動部を有すること
を特徴とする液晶表示電子機器。
【発明の詳細な説明】
【技術分野】
【０００１】
本発明は、表示画像を視差表示する液晶表示電子機器に適用することが可能な入力ペン、および、このような入力ペンを適用して入力した入力画像を視差表示することが可能な液晶表示電子機器に関する。
【背景技術】
【０００２】
従来の電子機器の表示形態として、例えば、単一の表示画面によって異なる２方向に対して互いに異なる２画像を表示する形態のもの（例えば、特許文献１、特許文献２参照。）が提案されている。しかし、単に２画像が表示されるだけであり、電子機器に対してその場で直接的に入力操作を施すことはできず、異なる２方向からの異なる画像入力はできないという問題がある。
【０００３】
あるいは、２次元／３次元の表示機能を備える形態のものが知られている（例えば、特許文献３参照。）。しかし、この場合は、異なる方向にいる複数の利用者に対して異なる画像を表示することはできないという問題がある。
【０００４】
また、従来の電子機器の入力形態として、例えば、電子ペンを適用して入力するもの（例えば、特許文献４参照。）、あるいは、タッチパネルを適用して入力する形態のもの（例えば、特許文献５、特許文献６参照。）が知られている。しかし、これらの電子機器での入力形態は、単一方向からの操作を基本とするものであり、異なる２方向から異なる利用者による異なる２入力を許容するものではなく、２方向からの異なる利用者による異なる入力を併せて許容することは困難である。
【０００５】
上述したとおり、従来の電子機器では、異なる２方向からの異なる入力（操作）を許容する入力形態とすることができないことから、異なる方向からの異なる入力画像に対応させて異なる方向へ異なる表示画像を表示することはできなかった。
【０００６】
したがって、従来の電子機器では、単独利用が原則であり、同時に対向する２方向から操作して、対向位置にいる複数（２人）の利用者に対する異なる画像表示（情報表示）を実行することは困難であり、有効な機能（例えば視差制御による２画面表示）を十分に活用できないという問題があった。
【０００７】
また、視差制御によって液晶表示を行なう液晶表示電子機器では、視差制御を介しての画像入力が困難であり、欠落の生じない画像入力が困難であるという問題があった。
【０００８】
さらに、従来の画像入力は、上述した電子ペン、あるいはタッチパネルを適用して入力することから、視差制御を活用することが困難であり、入力ペンおよび視差制御を介しての画像入力は困難であった。
【特許文献１】特開２００７−２０６１０８号公報
【特許文献２】特開２００５−７８０８０号公報
【特許文献３】特開２００４−１１２１７４号公報
【特許文献４】特開平９−３４６３８号公報
【特許文献５】特開２０００−１３２３３８号公報
【特許文献６】特開２００６−２５１９２７号公報
【発明の開示】
【発明が解決しようとする課題】
【０００９】
本発明はこのような状況に鑑みてなされたものであり、視差制御によって表示画像を視差表示する液晶表示電子機器に対して視差制御を受けた状態の入力画像を入力して検出させることが可能な入力ペンを提供することを目的とする。
【００１０】
また、本発明は、視差制御部を備える液晶表示電子機器であって、視差制御部によって表示画像を視差表示し、視差制御部を介して入力画像の入力を許容して検出することにより、本発明に係る入力ペンを適用して入力画像の入力を容易かつ高精度に実行することが可能な液晶表示電子機器を提供することを他の目的とする。
【課題を解決するための手段】
【００１１】
本発明に係る入力ペンは、液晶表示部と、該液晶表示部に重畳して配置され前記液晶表示部が第１視認方向に向けて第１視認方向表示画像を表示し、第２視認方向に向けて第２視認方向表示画像を表示するように前記液晶表示部に対して視差制御を施す視差制御部と、該視差制御部に重畳して配置され入力画像が入力される画像入力部と、該画像入力部へ入力された入力画像を前記第１視認方向または前記第２視認方向に対応させて検出する入力画像検出部と、該入力画像検出部が検出した入力画像に応じて前記第１視認方向表示画像／前記第２視認方向表示画像を表示する構成とされた液晶表示電子機器に適用される入力ペンであって、前記画像入力部に対向する板状の先端板部と、該先端板部に交差する方向で前記先端板部に連結された棒状の胴体部とを備えることを特徴とする。
【００１２】
この構成により、先端板部を高精度に画像入力部に当接させることが可能となることから、視差制御を受けた状態の入力画像として入力画像検出部で先端板部を検出することが可能となるので、視差制御部を有する液晶表示電子機器に対して容易に入力画像を検出させ、表示画像として表示させることができる。
【００１３】
また、本発明に係る入力ペンでは、前記先端板部は、前記画像入力部に対向する面に前記入力画像検出部で検出される認識マークを有することを特徴とする。
【００１４】
この構成により、認識マークを光信号として入力画像検出部で検出することが可能なることから、液晶表示電子機器に対して容易かつ高精度に入力画像を検出させることができる。
【００１５】
また、本発明に係る入力ペンでは、前記先端板部は、透光性材料で形成してあることを特徴とする。
【００１６】
この構成により、認識マークおよび画像入力部の状態を外部から容易に認識することが可能となることから、操作性を向上させることができる。
【００１７】
また、本発明に係る入力ペンでは、前記認識マークおよび前記認識マークに対応する領域の前記先端板部は、透光性材料で形成してあることを特徴とする。
【００１８】
この構成により、認識マークに対応させた光信号を画像入力部へ入力することが可能となり、認識マークの位置での画像入力部の状態を外部から容易に認識して認識マークを高精度に操作することが可能となることから、画像入力の精度および操作性を向上させることができる。
【００１９】
また、本発明に係る入力ペンでは、前記認識マークは、前記認識マークに対する外光を反射するハーフミラーで形成してあることを特徴とする。
【００２０】
この構成により、認識マークによる影信号を光信号として画像入力部へ入力すると共に、画像入力部の状態を外部から容易に認識することが可能となることから、精度および操作性を向上させることができる。
【００２１】
また、本発明に係る入力ペンでは、前記認識マークは、前記視差制御部が有する視差制御ピッチに対して３倍以上の直径を有する円形としてあることを特徴とする。
【００２２】
この構成により、視差制御部による入力画像の欠落を防止して高精度の画像入力を実行することが可能となる。
【００２３】
また、本発明に係る入力ペンでは、前記認識マークは、正多角形で構成してあることを特徴とする。
【００２４】
この構成により、複数方向での方向性を高精度に検出することが可能となることから、方向性を有する入力画像を入力することができる。
【００２５】
また、本発明に係る入力ペンでは、前記正多角形の頂点の数は、３であることを特徴とする。
【００２６】
この構成により、簡単な形状で高精度に方向性の検出が可能となる。
【００２７】
また、本発明に係る入力ペンでは、前記先端板部は、胴体部に対して取り外し可能な構成としてあることを特徴とする。
【００２８】
この構成により、先端板部を交換して方向性の有無の切り替え、あるいは大小２種類の認識マークの切り替えなどを実行することが可能となり、操作性あるいは入力精度（検出精度）を切り替えることができる。
【００２９】
また、本発明に係る入力ペンでは、前記胴体部に内蔵された発光部と、該発光部からの光信号を入力画像として前記画像入力部へ導光する導光路とを備えることを特徴とする。
【００３０】
この構成により、容易かつ高精度に入力画像を形成することが可能となることから、入力画像の入力を容易かつ高精度に実行することができる。
【００３１】
また、本発明に係る入力ペンでは、前記発光部の発光色は、赤系、青系、緑系、または白色系のいずれか一つであることをを特徴とする。
【００３２】
この構成により、液晶表示部が有するカラーフィルタと発光色との組み合わせによる光信号の識別が可能となることから、入力画像の入力を容易かつ高精度に実行することができる。
【００３３】
また、本発明に係る入力ペンでは、前記発光部の発光色は、赤系、青系、緑系、または白色系の内２色以上で切り替え可能な構成としてあることを特徴とする。
【００３４】
この構成により、液晶表示部が有するカラーフィルタと発光色との組み合わせによる光信号の識別が可能となることから、入力画像の入力を容易かつ高精度に実行することができる。
【００３５】
また、本発明に係る入力ペンでは、前記発光部の発光色は、白色系で切り替え可能な構成としてあることを特徴とする。
【００３６】
この構成により、液晶表示部が有するカラーフィルタに対して入力画像を均等に入射することが可能となることから、文字に関する画像入力を容易かつ高精度に検出することができる。
【００３７】
また、本発明に係る入力ペンでは、前記胴体部は、前記先端板部に取り付けられ前記胴体部を自在に屈曲する自在連結部を介して前記先端板部に連結してあることを特徴とする。
【００３８】
この構成により、操作者により操作されるときに画像入力部の表面に対する追随性を向上させることが可能となり、高精度に操作性良く画像入力が可能な入力ペンとすることができる。
【００３９】
また、本発明に係る液晶表示電子機器は、液晶表示部と、該液晶表示部に重畳して配置され前記液晶表示部が第１視認方向に向けて第１視認方向表示画像を表示し、第２視認方向に向けて第２視認方向表示画像を表示するように前記液晶表示部に対して視差制御を施す視差制御部と、該視差制御部に重畳して配置され入力画像が入力される画像入力部と、該画像入力部へ入力された入力画像を前記第１視認方向または前記第２視認方向に対応させて検出する入力画像検出部と、該入力画像検出部が検出した入力画像に応じて前記第１視認方向表示画像／前記第２視認方向表示画像を表示する構成とされた液晶表示電子機器であって、前記画像入力部への入力画像の入力は、本発明に係る入力ペンで実行される構成としてあることを特徴とする。
【００４０】
この構成により、画像入力部へ視差制御を施した入力画像の入力を容易かつ高精度に実行することが可能で、入力画像を表示画像として表示することが可能な液晶表示電子機器とすることができる。
【００４１】
また、本発明に係る液晶表示電子機器では、前記入力画像検出部が検出した入力画像に画像演算処理を施して入力画像に対応する画像表示信号を生成する画像表示信号生成部を備え、前記液晶表示部は、前記画像表示信号に応じて前記第１視認方向表示画像／前記第２視認方向表示画像を表示する液晶駆動部を有することを特徴とする。
【００４２】
この構成により、入力画像を容易かつ高精度に表示画像として表示することが可能となる。
【発明の効果】
【００４３】
本発明に係る入力ペンによれば、液晶表示部と、液晶表示部に重畳して配置され液晶表示部が第１視認方向に向けて第１視認方向表示画像を表示し、第２視認方向に向けて第２視認方向表示画像を表示するように液晶表示部に対して視差制御を施す視差制御部と、視差制御部に重畳して配置され入力画像が入力される画像入力部と、画像入力部へ入力された入力画像を第１視認方向または第２視認方向に対応させて検出する入力画像検出部と、入力画像検出部が検出した入力画像に応じて第１視認方向表示画像／第２視認方向表示画像を表示する構成とされた液晶表示電子機器に適用される入力ペンであって、画像入力部に対向する板状の先端板部と、先端板部に交差する方向で先端板部に連結された棒状の胴体部とを備えることから、先端板部を高精度に画像入力部に当接させることが可能となり、先端板部を入力画像検出部で視差制御を受けた状態の入力画像として検出することが可能となるので、視差制御部を有する液晶表示電子機器に対して容易に入力画像を検出させ、表示画像として表示させることができるという効果を奏する。
【００４４】
また、本発明に係る液晶表示電子機器によれば、液晶表示部と、液晶表示部に重畳して配置され液晶表示部が第１視認方向に向けて第１視認方向表示画像を表示し、第２視認方向に向けて第２視認方向表示画像を表示するように液晶表示部に対して視差制御を施す視差制御部と、視差制御部に重畳して配置され入力画像が入力される画像入力部と、画像入力部へ入力された入力画像を第１視認方向または第２視認方向に対応させて検出する入力画像検出部と、入力画像検出部が検出した入力画像に応じて第１視認方向表示画像／第２視認方向表示画像を表示する構成とされた液晶表示電子機器であって、画像入力部への入力画像の入力は、本発明に係る入力ペンで実行される構成としてあることから、入力画像検出部へ視差制御を施した入力画像の入力を容易かつ高精度に実行することが可能で、入力画像を表示画像として表示することが可能な液晶表示電子機器とすることができる。
【発明を実施するための最良の形態】
【００４５】
以下、本発明の実施の形態を図面に基づいて説明する。
【００４６】
＜実施の形態１＞
図１Ａないし図２Ｃに基づいて本実施の形態に係る液晶表示電子機器について説明する。
【００４７】
図１Ａは、本発明の実施の形態１に係る液晶表示電子機器の概略構成および視差制御された表示状態を概念的に示す平面図である。図１Ｂは、図１Ａに示した液晶表示電子機器の矢符Ｘ方向から見た側面状態を透視的に示す透視側面図である。
【００４８】
本実施の形態に係る液晶表示電子機器１は、筐体１ｃに、液晶表示部１０と、液晶表示部１０に重畳して配置され液晶表示部１０が相互に異なる第１視認方向ＥＤｆおよび第２視認方向ＥＤｓに向けて異なる表示画像ＤＩＭを表示するように液晶表示部１０に対して視差制御を施す視差制御部２０とを備える。
【００４９】
つまり、視差制御部２０は、第１視認方向ＥＤｆに向けて第１視認方向表示画像ＤＩＭｆを表示し、第２視認方向ＥＤｓに向けて第１視認方向表示画像ＤＩＭｆと異なる第２視認方向表示画像ＤＩＭｓを表示するように視差制御を施す。
【００５０】
なお、視差制御部２０での視差制御は、液晶分子の配列方向を制御することによって、実行することが可能である。
【００５１】
第１視認方向ＥＤｆで視認される表示画像ＤＩＭを第１視認方向表示画像ＤＩＭｆとし、第２視認方向ＥＤｓで視認される表示画像ＤＩＭを第２視認方向表示画像ＤＩＭｓとして示す。視差制御部２０を機能させることによって、第１視認方向表示画像ＤＩＭｆとしては、例えば三角図形を表示し、第２視認方向表示画像ＤＩＭｓとしては、例えば円図形を表示することが可能な構成としてある。つまり、視差制御（視差制御部２０）を介しての画像表示が可能な構成としてある。
【００５２】
なお、ここで示す表示画像ＤＩＭの図形状態は、視差制御による視差表示（異なる方向への異なる表示画像ＤＩＭの表示）を説明するために示すものである。
【００５３】
第１視認方向ＥＤｆおよび第２視認方向ＥＤｓを特に区別する必要が無い場合は、以下、単に視認方向ＥＤとすることがある。また、第１視認方向表示画像ＤＩＭｆおよび第２視認方向表示画像ＤＩＭｓを特に区別する必要が無い場合は、以下、単に視認方向ＤＩＭとすることがある。
【００５４】
第１視認方向表示画像ＤＩＭｆは、第１視認方向操作者ＯＰｆによって視認され、第２視認方向表示画像ＤＩＭｓは、第２視認方向操作者ＯＰｓによって視認される。なお、第１視認方向操作者ＯＰｆおよび第２視認方向操作者ＯＰｓを特に区別する必要が無い場合は、以下、単に操作者ＯＰとすることがある。
【００５５】
液晶表示電子機器１は、液晶表示部１０での視差表示機能に加えて視差表示機能に対応させた視差制御により制御された状態での画像入力が可能な構成としてある。つまり、視差制御部２０に重畳して配置され入力画像ＷＩＭの入力が許容される入力許容領域３１を有する画像入力部３０を備える。
【００５６】
したがって、入力した入力画像ＷＩＭを視差制御部２０によって第１視認方向ＥＤｆおよび第２視認方向ＥＤｓに対応させた第１視認方向入力画像ＷＩＭｆおよび第２視認方向入力画像ＷＩＭｓに分離して認識することが可能となる。つまり、視差制御（視差制御部２０）を介しての画像入力が可能な構成としてある。
【００５７】
第１視認方向入力画像ＷＩＭｆおよび第２視認方向入力画像ＷＩＭｓを特に区別する必要が無い場合は、以下、単に入力画像ＷＩＭとすることがある。
【００５８】
また、視差制御部２０による入力画像ＷＩＭに対する視差制御は、視差制御部２０の液晶分子の配列方向を制御することによって実行することが可能である（図２Ａ参照）。
【００５９】
画像入力部３０への画像入力は、例えば入力ペン３５（第１視認方向操作者ＯＰｆが操作する第１入力ペン３５ｆ、第２視認方向操作者ＯＰｓが操作する第２入力ペン３５ｓ）によって実行される。なお、第１入力ペン３５ｆおよび第２入力ペン３５ｓを特に区別する必要が無い場合は、以下、単に入力ペン３５とすることがある。また、入力ペン３５については、実施の形態２、実施の形態３でさらに詳細を説明する。
【００６０】
また、液晶表示電子機器１は、入力許容領域３１に対応して配置され入力された入力画像ＷＩＭを第１視認方向ＥＤｆまたは第２視認方向ＥＤｓに対応させて検出する入力画像検出部４０と、入力画像検出部４０で検出された入力画像ＷＩＭに画像演算処理を施して入力画像ＷＩＭに対応する画像表示信号Ｓｄｉｍを生成する画像表示信号生成部５０とを備える。
【００６１】
液晶表示部１０は、表示制御液晶層１１および表示制御液晶層１１を駆動する液晶駆動部１３を有し、液晶駆動部１３は、画像表示信号Ｓｄｉｍに応じて表示制御液晶層１１を駆動することによって表示画像ＤＩＭ（第１視認方向表示画像ＤＩＭｆ／第２視認方向表示画像ＤＩＭｓ）を表示する構成としてある。また、液晶表示部１０の背面には、バックライト１５が配置してある。
【００６２】
つまり、液晶表示電子機器１は、第１視認方向ＥＤｆおよび第２視認方向ＥＤｓに対応させて視差制御部２０で視差制御を施した入力画像ＷＩＭを入力画像検出部４０で検出することから、視差制御を施して検出した入力画像ＷＩＭに応じた表示画像ＤＩＭ（第１視認方向表示画像ＤＩＭｆ、第２視認方向表示画像ＤＩＭｓ）を容易かつ高精度に表示することが可能となる。
【００６３】
図１Ａでは、第１視認方向入力許容領域３１ｆに三角形状の第１視認方向入力画像ＷＩＭｆが入力され、第１表示領域１０ｆにそのまま第１視認方向表示画像ＤＩＭｆとして表示された状態を示す。また、第２視認方向入力許容領域３１ｓに円形状の第２視認方向入力画像ＷＩＭｓが入力され、第２表示領域１０ｓにそのまま第２視認方向表示画像ＤＩＭｓとして表示された状態を示す。なお、この場合の画像入力の状態は図２Ａに対応し、画像表示の状態は図２Ｂに対応する。
【００６４】
したがって、視認制御を施して第１視認方向ＥＤｆおよび第２視認方向ＥＤｓでそれぞれ入力された入力画像ＷＩＭ（第１視認方向入力画像ＷＩＭｆ、第２視認方向入力画像ＷＩＭｓ）に対応する表示画像ＤＩＭ（第１視認方向表示画像ＤＩＭｆ、第２視認方向表示画像ＤＩＭｓ）を対応する第１視認方向ＥＤｆおよび第２視認方向ＥＤｓでそれぞれ視認することができるので、複数操作者ＯＰに対応した機能的な画像入力および画像表示が可能な優れた液晶表示電子機器１とすることができる。
【００６５】
入力許容領域３１は、相互に対向する位置に配置された第１視認方向入力許容領域３１ｆおよび第２視認方向入力許容領域３１ｓを備える。したがって、第１視認方向ＥＤｆおよび第２視認方向ＥＤｓに対応させた画像入力が可能となることから、第１視認方向ＥＤｆおよび第２視認方向ＥＤｓに対応する位置からの異なる操作者ＯＰ（第１視認方向ＥＤｆに対応する第１視認方向操作者ＯＰｆ、第２視認方向ＥＤｓに対応する第２視認方向操作者ＯＰｓ）による異なる画像入力を許容することができる。なお、第１視認方向入力許容領域３１ｆおよび第２視認方向入力許容領域３１ｓを特に区別する必要が無い場合は、以下、単に入力許容領域３１とすることがある。
【００６６】
液晶表示電子機器１は、第１視認方向ＥＤｆ（第１視認方向操作者ＯＰｆ）に対応して配置され第１視認方向操作者ＯＰｆによる操作を受け付ける第１操作部６０ｆと、第２視認方向ＥＤｓ（第２視認方向操作者ＯＰｓ）に対応して配置され第２視認方向操作者ＯＰｓによる操作を受け付ける第２操作部６０ｓとを備える。
【００６７】
したがって、第１視認方向ＥＤｆまたは第２視認方向ＥＤｓそれぞれで、個別に機能を操作することが可能となり、操作性、機能性に優れた液晶表示電子機器１とすることができる。なお、第１操作部６０ｆおよび第２操作部６０ｓを特に区別する必要が無い場合は、以下、単に操作部６０とすることがある。
【００６８】
液晶表示部１０は、第１視認方向入力許容領域３１ｆに対応して配置され第１視認方向入力許容領域３１ｆに入力された第１視認方向入力画像ＷＩＭｆに対応する第１視認方向表示画像ＤＩＭｆを表示する第１表示領域１０ｆと、第２視認方向入力許容領域３１ｓに対応して配置され第２視認方向入力許容領域３１ｓに入力された第２視認方向入力画像ＷＩＭｓに対応する第２視認方向表示画像ＤＩＭｓを表示する第２表示領域１０ｓとを備える。
【００６９】
したがって、第１視認方向入力許容領域３１ｆへの第１視認方向入力画像ＷＩＭｆおよび第２視認方向入力許容領域３１ｓへの第２視認方向入力画像ＷＩＭｓに対応させた表示画像（第１視認方向表示画像ＤＩＭｆ、第２視認方向表示画像ＤＩＭｓ）をそれぞれ表示することが可能となり、入力画像を容易に確認できる利便性の良い液晶表示電子機器１とすることができる。
【００７０】
また、液晶表示部１０は、第１表示領域１０ｆと第２表示領域１０ｓとの間に第３表示領域１０ｔを備え、第３表示領域１０ｔは、第１視認方向ＥＤｆで視認される第１視認方向表示画像ＤＩＭｆ（例えば、三角図形）および第２視認方向ＥＤｓで視認される第２視認方向表示画像ＤＩＭｓ（例えば、円図形）を表示画像ＤＩＭとして表示する構成としてある。
【００７１】
したがって、第１表示領域１０ｆおよび第２表示領域１０ｓとは異なる第３表示領域１０ｔで表示画像ＤＩＭを表示することにより、第１視認方向ＥＤｆからは第１視認方向表示画像ＤＩＭｆを視認し、第２視認方向ＥＤｓからは第２視認方向表示画像ＤＩＭｓを視認することが可能となる。つまり、単一の表示領域である第３表示領域１０ｔでは、視差制御によって相互に異なる図形を第１視認方向ＥＤｆ、第２視認方向ＥＤｓそれぞれに対応させて表示することが可能となり、汎用性、機能性に優れた液晶表示電子機器１とすることができる。
【００７２】
なお、第１表示領域１０ｆ、第２表示領域１０ｓ、および第３表示領域１０ｔによって、画像表示面１０ｄが構成される。また、画像演算処理を施すことによって、第３表示領域１０ｔに表示する表示画像ＤＩＭ（第１視認方向表示画像ＤＩＭｆ、第２視認方向表示画像ＤＩＭｓ）を相互に入れ替えることも可能である。このような画像演算処理は、実施の形態５で示す画像演算処理部６で実行することが可能である。
【００７３】
図２Ａは、図１Ｂに示した液晶表示電子機器の領域Ｙ１（第１表示領域、第１視認方向入力許容領域）の断面状態を拡大して第１視認方向での画像の入力状態を概念的に示す入力概念説明図である。図２Ｂは、図２Ａで入力した画像を第１視認方向で表示／視認するときの表示状態を概念的に示す表示概念説明図である。
【００７４】
図１Ｂに示した液晶表示電子機器の領域Ｙ１は、液晶表示部１０の第１視認方向入力許容領域３１ｆでの断面に対応する。したがって、表面側から、画像入力部３０、視差制御部２０、液晶表示部１０（第１表示領域１０ｆ）、バックライト１５が順次重ねられた状態となっている。なお、液晶表示部１０には、入力画像検出部４０（第１視認方向入力画像検出部４０ｆ）が配置してある。
【００７５】
また、第１視認方向入力許容領域３１ｆに対しては、第１視認方向ＥＤｆの第１視認方向操作者ＯＰｆが操作する第１入力ペン３５ｆからの光信号ＬＳによって画像入力がなされる。
【００７６】
画像入力部３０は、例えば透光性の薄板で形成してあり、第１入力ペン３５ｆからの光信号ＬＳ（第１視認方向入力画像ＷＩＭｆ）の入力が許容される。光信号ＬＳは、視差制御部２０によって視差制御され、第１視認方向入力許容領域３１ｆに対応して入力された一部の光信号ＬＳだけが視差制御部２０を通過（第１視認方向入力画像ＷＩＭｆに対応する光信号ＬＳが通過）し、液晶表示部１０のカラーフィルタ１４へ入射する。
【００７７】
カラーフィルタ１４へ入射した光信号ＬＳは、液晶表示部１０の表示制御液晶層１１を通過して入力画像検出部４０（第１視認方向入力許容領域３１ｆに対応させた第１視認方向入力画像検出部４０ｆ）へ入力される。
【００７８】
視差制御部２０は、視差制御液晶層２１を備え、液晶分子の配列方向を制御することによって、光信号ＬＳに対する視差制御を実行する構成としてある。視差制御液晶層２１は、例えばデューティ液晶によって構成することが可能である。
【００７９】
視差制御液晶層２１は、視差制御バリアとしての視差制御液晶層２１ａ、２１ｂ、２１ｃ、２１ｄ、２１ｅ、２１ｆ、２１ｇ、２１ｈ、２１ｉ、２１ｊ、２１ｋ、２１ｍを有している。視差制御液晶層２１ａ、２１ｂ、２１ｃ、２１ｄ、２１ｅ、２１ｆ、２１ｇ、２１ｈ、２１ｉ、２１ｊ、２１ｋ、２１ｍに対してそれぞれ光信号ＬＳが入射された状態として示してある。
【００８０】
視差制御は、例えば、視差制御バリアとしての視差制御液晶層２１ａ、２１ｃ、２１ｅ、２１ｇ、２１ｉ、２１ｋでは第１視認方向ＥＤｆからの光信号ＬＳを透過させ、他方、視差制御バリアとしての視差制御液晶層２１ｂ、２１ｄ、２１ｆ、２１ｈ、２１ｊ、２１ｍでは第１視認方向ＥＤｆからの光信号ＬＳを遮断することで実行している。
【００８１】
つまり、入力画像ＷＩＭが入力されるとき、視差制御バリア（視差制御液晶層２１）の液晶分子の配列方向を交互に反対方向へ制御し、光信号ＬＳが視差制御バリアを交互に透過するようにして視差制御を施している。したがって、視差制御部２０を通過する光信号ＬＳが、第１視認方向から液晶表示部１０（カラーフィルタ１４）へ入力されることとなる。
【００８２】
なお、視差制御液晶層２１ａ、２１ｂ、２１ｃ、２１ｄ、２１ｅ、２１ｆ、２１ｇ、２１ｈ、２１ｉ、２１ｊ、２１ｋ、２１ｍは均等に区分して配置され、視差制御ピッチＰｐを構成している。視差制御ピッチＰｐによって入力画像に対する視差制御での分解能が画定される。
【００８３】
したがって、第１視認方向ＥＤｆから第１視認方向入力許容領域３１ｆに向けて入力された光信号ＬＳの内、視差制御部２０を通過する光信号ＬＳが液晶表示部１０のカラーフィルタ１４へ入射され、さらには表示制御液晶層１１を透過する。
【００８４】
表示制御液晶層１１は、視差制御部２０の視差制御バリア（視差制御ピッチＰｐ）に対応させて、例えば表示制御液晶層１１ａ、１１ｂ、１１ｃ、１１ｄ、１１ｅ、１１ｆ、１１ｇ、１１ｈ、１１ｉ、１１ｊ、１１ｋに区分されている。また、表示制御液晶層１１の液晶分子の配列方向は、視差制御液晶層２１の液晶分子の配列方向と同様に制御される構成としてある。
【００８５】
つまり、表示制御液晶層１１ａ、１１ｃ、１１ｅ、１１ｇ、１１ｉ、１１ｋでは、視差制御液晶層２１ａ、２１ｃ、２１ｅ、２１ｇ、２１ｉ、２１ｋと同様に第１視認方向ＥＤｆからの光信号ＬＳを透過させるように液晶分子の配列方向が制御してある。
【００８６】
また、表示制御液晶層１１ｂ、１１ｄ、１１ｆ、１１ｈ、１１ｊでは、視差制御液晶層２１ｂ、２１ｄ、２１ｆ、２１ｈ、２１ｊと同様に第１視認方向ＥＤｆからの光信号ＬＳを遮断するように液晶分子の配列方向が制御してある。したがって、高精度に光信号ＬＳを遮断することが可能となり、高精度に入力画像を検出することができる。
【００８７】
表示制御液晶層１１ａ、１１ｃ、１１ｅ、１１ｇ、１１ｉ、１１ｋを透過した光信号ＬＳは、第１視認方向入力画像検出部４０ｆ（入力画像検出部４０）に入射する。
【００８８】
第１視認方向入力画像検出部４０ｆは第１視認方向入力許容領域３１ｆで第１視認方向入力画像ＷＩＭｆとしての光信号ＬＳを受光し、検出する。つまり、第１視認方向入力画像検出部４０ｆは、第１視認方向入力画像ＷＩＭｆを検出することが可能となる（図２Ａ）。なお、第１視認方向入力画像ＷＩＭｆは、第１入力ペン３５ｆによる光信号ＬＳの軌跡に対応する。
【００８９】
入力画像検出部４０（第１視認方向入力画像検出部４０ｆ）は、入力ペン３５（第１入力ペン３５ｆ）で入力された入力画像ＷＩＭ（第１視認方向入力画像ＷＩＭｆ）を検出する光電変換素子４１（表示制御液晶層１１ａ、１１ｂ、１１ｃ、１１ｄ、１１ｅ、１１ｆ、１１ｇ、１１ｈ、１１ｉ、１１ｊ、１１ｋに対応させて配置された光電変換素子４１ａ、４１ｂ、４１ｃ、４１ｄ、４１ｅ、４１ｆ、４１ｇ、４１ｈ、４１ｉ、４１ｊ、４１ｋとして示す。以下、光電変換素子４１ａ、４１ｂ、４１ｃ、４１ｄ、４１ｅ、４１ｆ、４１ｇ、４１ｈ、４１ｉ、４１ｊ、４１ｋを区別する必要が無い場合は、単に光電変換素子４１とすることがある。）を備える。
【００９０】
したがって、容易かつ高精度に入力画像ＷＩＭを検出することが可能となる。なお、光電変換素子４１は、表示制御液晶層１１の画素に対応させて配置することが望ましい。つまり、液晶表示部１０は、フォトセンサ内蔵の液晶表示装置で構成してある。
【００９１】
なお、第１視認方向入力画像検出部４０ｆでは、入力画像の検出範囲を画定するために有効領域４０ｖが設定してある。例えば、光電変換素子４１ｂ〜光電変換素子４１ｊの範囲を有効領域４０ｖとする場合、光電変換素子４１ａ、光電変換素子４１ｋでは、有効領域４０ｖを外れることから予め無効に設定してある。
【００９２】
つまり、光電変換素子４１（光電変換素子４１ａ、光電変換素子４１ｋ）を設けずにおくことが可能である。すなわち、第１視認方向入力許容領域３１ｆから外れて入力された光信号ＬＳは、検出する必要が無いことから、仮に第１視認方向入力画像検出部４０ｆへ入射しても有効な光信号ＬＳとしての検出はされない。
【００９３】
したがって、本実施の形態では、光電変換素子４１ｃ、４１ｅ、４１ｇ、４１ｉのみが光電変換素子４１として機能し、光信号ＬＳが第１視認方向入力画像ＷＩＭｆとして検出されることとなる。
【００９４】
画像入力を実行するときは、入力許容領域３１に対応する範囲内で画像入力をすることによって、入力画像ＷＩＭの入力を正確に実行することが可能となる。つまり、入力許容領域３１に対応させて入力することによって不要な画像入力を回避することができる。
【００９５】
第１視認方向入力画像検出部４０ｆ（光電変換素子４１ｃ、４１ｅ、４１ｇ、４１ｉ）が検出した第１視認方向入力画像ＷＩＭｆは、画像表示信号生成部５０へ送信される。画像表示信号生成部５０は、第１視認方向入力画像ＷＩＭｆに画像演算処理を施して第１視認方向入力画像ＷＩＭｆに対応する画像表示信号Ｓｄｉｍを生成する。
【００９６】
生成された画像表示信号Ｓｄｉｍは、画像表示信号生成部５０から液晶駆動部１３へ送信され、液晶駆動部１３は、画像表示信号Ｓｄｉｍに応じて表示制御液晶層１１を駆動する。液晶駆動部１３によって駆動された表示制御液晶層１１は、第１視認方向入力画像ＷＩＭｆに対応させた第１視認方向表示画像ＤＩＭｆを表示（図２Ｂ）することが可能となる。
【００９７】
つまり、第１視認方向操作者ＯＰｆは、第１視認方向ＥＤｆ（第１視認方向入力許容領域３１ｆ）から入力した第１視認方向入力画像ＷＩＭｆに対応する第１視認方向表示画像ＤＩＭｆを第１視認方向ＥＤｆ（第１表示領域１０ｆ）で視認することが可能となる。
【００９８】
液晶駆動部１３によって表示制御液晶層１１を駆動するとき、表示制御液晶層１１の液晶分子の配列方向は、視差制御液晶層２１と同様に制御する構成としてある。この構成によって視差制御液晶層２１による視差制御を画像入力時と画像表示時とで一致させることが可能となり、高精度の視差制御を実行することができる。
【００９９】
視差制御部２０は、視差制御部２０が有する視差制御液晶層２１の液晶分子の配列方向を制御することによって視差制御を施し、表示制御液晶層１１の液晶分子の配列方向は、視差制御液晶層２１の液晶分子の配列方向と同様に制御される構成としてあることが望ましい。
【０１００】
例えば、上述したとおり、視差制御液晶層２１ａ、２１ｃ、２１ｅ、２１ｇ、２１ｉ、２１ｋに対しては、第１視認方向ＥＤｆからの光信号ＬＳを透過させる方向に液晶分子の配列方向を制御し、視差制御液晶層２１ｂ、２１ｄ、２１ｆ、２１ｈ、２１ｊ、２１ｍに対しては、第１視認方向ＥＤｆからの光信号ＬＳを遮断する方向に液晶分子の配列方向を制御している。
【０１０１】
また、表示制御液晶層１１ａ、１１ｃ、１１ｅ、１１ｇ、１１ｉ、１１ｋに対しては、視差制御液晶層２１ａ、２１ｃ、２１ｅ、２１ｇ、２１ｉ、２１ｋと同様に液晶分子の配列方向を制御することによって、第１視認方向ＥＤｆからの光信号ＬＳを入力画像検出部４０へ入射させ、表示制御液晶層１１ｂ、１１ｄ、１１ｆ、１１ｈ、１１ｊに対しては、視差制御液晶層２１ｂ、２１ｄ、２１ｆ、２１ｈ、２１ｊ、２１ｍと同様に液晶分子の配列方向を制御することによって、第１視認方向ＥＤｆからの光信号ＬＳが入力画像検出部４０へ入射することを防止している。
【０１０２】
したがって、表示制御液晶層１１は、入力された入力画像ＷＩＭを視差制御部２０と同様にして容易に透過させることが可能となることから、入力画像検出部４０で入力画像ＷＩＭを高精度かつ鮮明に検出することができる。
【０１０３】
入力画像検出部４０は、表示制御液晶層１１を介して入力画像ＷＩＭを検出する構成としてあり、入力画像ＷＩＭが入力されるとき、表示制御液晶層１１の液晶分子の配列方向を制御する構成としてあることが望ましい。
【０１０４】
例えば、操作部６０を操作して画像入力モードに設定した状態では、表示制御液晶層１１の液晶分子の配列方向を視差制御液晶層２１の液晶分子の配列方向に同期させることが可能である。また、画像入力モードを設定しない場合には、入力画像検出部４０に配置された光電変換素子４１のいずれかが光信号ＬＳを検出したとき、画像入力が開始されたと判断して表示制御液晶層１１の液晶分子の配列方向を制御することが可能である。
【０１０５】
したがって、入力画像ＷＩＭに対応する光信号ＬＳが高精度に表示制御液晶層１１を透過することが可能となり、入力画像ＷＩＭを入力画像検出部４０で高精度に検出することが可能となることから、入力画像ＷＩＭを高精度に入力することができる。
【０１０６】
入力許容領域３１は、入力画像検出部４０の有効領域４０ｖより狭く設定してあることが望ましい。この構成によって、入力画像ＷＩＭを検出するときの欠落を防止することが可能となり、入力画像ＷＩＭを高精度に検出することができる。
【０１０７】
入力許容領域３１は、入力画像検出部４０の有効領域４０ｖ（光電変換素子４１ｂないし光電変換素子４１ｊ）に対して、第１視認方向ＥＤｆでは、第１視認方向ＥＤｆの方へ、移動させてあることが望ましい。また、第２視認方向ＥＤｓでは同様にして、入力許容領域３１は、第２視認方向ＥＤｓの方へ、視差制御液晶層２１が有する視差制御ピッチに対応させて移動させてあることが望ましい。なお、第２視認方向ＥＤｓに対しては、単に方向が逆になるのみであり、図示は省略する。この構成によって、入力画像ＷＩＭを検出するときの欠落を確実に防止することが可能となり、入力画像ＷＩＭの入力が無効となる領域を低減することが可能となる。
【０１０８】
画像入力部３０から入力画像検出部４０までの間隔Ｌ３、視差制御部２０から入力画像検出部４０までの間隔Ｌ２は、視差制御が正常に実行されるように予め調整してある。例えば、画像入力部３０の表面と視差制御液晶層２１との間の間隔Ｌ１は、視差制御部２０から入力画像検出部４０までの間隔Ｌ２に対して整数倍に設定することが望ましい。
【０１０９】
例えば、入力許容領域３１での光信号ＬＳの入射位置に対して、視差制御液晶層２１（例えば画素に対応する各区分領域２１ａ、２１ｂ、・・・）と入力画像検出部４０（例えば各光電変換素子４１ａ、４１ｂ、・・・）の位置関係を直線（光信号ＬＳ）上に配置することによって、視認方向ＥＤを正確に画定することが可能となる。
【０１１０】
したがって、第１視認方向ＥＤｆまたは第２視認方向ＥＤｓを高精度に画定して入力画像ＷＩＭを入力画像検出部４０で容易かつ高精度に検出することが可能となるので、入力画像ＷＩＭの欠落を抑制して高精度の画像入力と高精度の画像表示が可能な液晶表示電子機器１とすることができる。
【０１１１】
画像表示信号生成部５０は、画像入力部３０の入力画像ＷＩＭが入力された位置に対応させて第１視認方向表示画像ＤＩＭｆまたは第２視認方向表示画像ＤＩＭｓが視認されるように画像表示信号Ｓｄｉｍを生成することが望ましい。
【０１１２】
例えば、液晶駆動部１３は、光信号ＬＳを検出した光電変換素子４１ｃ、４１ｅ、４１ｇ、４１ｉに対応する表示制御液晶層１１（１１ｃ、１１ｅ、１１ｇ、１１ｉ）を駆動することによって、入力画像ＷＩＭを表示画像ＤＩＭｆとして高精度に再現することが可能となる。
【０１１３】
したがって、入力画像ＷＩＭを検出した入力画像検出部４０の位置に対応する位置の液晶駆動部１３に画像表示信号Ｓｄｉｍを供給すれば良いことから、画像表示信号Ｓｄｉｍを容易に生成することが可能となり、再現性良く入力画像ＷＩＭに対応する表示画像（第１視認方向表示画像ＤＩＭｆまたは第２視認方向表示画像ＤＩＭｓ）を表示することができる。
【０１１４】
なお、第２視認方向ＥＤｓに対する第２表示領域１０ｓ、第２視認方向入力許容領域３１ｓでの動作、画像演算処理については、単に視認方向が異なるのみで、第１視認方向ＥＤｆの場合と同様であるので、説明は省略する。
【０１１５】
図２Ｃは、図１Ｂに示した液晶表示電子機器の領域Ｙ２（第３表示領域）の断面状態を拡大して第１視認方向および第２視認方向で画像を表示／視認するときの表示状態を概念的に示す表示概念説明図である。
【０１１６】
なお、領域Ｙ２は、領域Ｙ１に対して液晶表示部１０での領域が異なるのみで、基本的な構成は、領域Ｙ１（図２Ａ、図２Ｂ）と同様であるので主に異なる事項について説明する。
【０１１７】
第３表示領域１０ｔでは、画像表示信号Ｓｄｉｍに応じて液晶駆動部１３が表示制御液晶層１１を駆動する。したがって、表示制御液晶層１１は、画像表示信号Ｓｄｉｍに応じた表示状態となる。また、表示制御液晶層１１と画像入力部３０の表面（画像表示面１０ｄ）との間には、上述したとおり、視差制御部２０（視差制御液晶層２１）が配置してあることから、液晶表示部１０は、視差制御部２０による視差制御に対応した表示画像ＤＩＭを表示する。
【０１１８】
つまり、第１視認方向ＥＤｆでは、視差制御部２０による視差制御によって第１視認方向表示画像ＤＩＭｆが表示（視認）され、第２視認方向ＥＤｓでは、視差制御部２０による視差制御によって第２視認方向表示画像ＤＩＭｓとして表示（視認）される。
【０１１９】
したがって、第１視認方向ＥＤｆの第１視認方向操作者ＯＰｆは、第３表示領域１０ｔに表示された表示画像ＤＩＭとして第１視認方向表示画像ＤＩＭｆ（例えば、三角図形）を視認することが可能となり、第２視認方向ＥＤｓの第２視認方向操作者ＯＰｓは、第３表示領域１０ｔに表示された表示画像ＤＩＭとして第２視認方向表示画像ＤＩＭｓ（例えば、円図形）を視認することが可能となる。
【０１２０】
上述したとおり、図２Ａの状態で、入力画像ＷＩＭの入力が許容される入力許容領域３１を有する画像入力部３０に入力された入力画像ＷＩＭを視差制御部２０を介して入力画像検出部４０で検出する（入力画像検出ステップ）こととなる。また、入力画像検出ステップで検出された入力画像ＷＩＭに画像演算処理を施して画像表示信号Ｓｄｉｍを生成する（画像表示信号生成ステップ）処理が実行される。
【０１２１】
また、図２Ｂ、図２Ｃの状態で、画像表示信号Ｓｄｉｍに応じて表示画像ＤＩＭを画像表示面１０ｄへ表示する（画像表示ステップ）処理が実行される。
【０１２２】
上述したとおり、本実施の形態に係る液晶表示電子機器１は、液晶表示部１０と、液晶表示部１０に重畳して配置され液晶表示部１０が第１視認方向ＥＤｆに向けて第１視認方向表示画像ＤＩＭｆを表示し、第２視認方向ＥＤｓに向けて第２視認方向表示画像ＤＩＭｓを表示するように液晶表示部１０に対して視差制御を施す視差制御部２０と、視差制御部２０に重畳して配置され入力画像ＷＩＭが入力される画像入力部３０と、画像入力部３０へ入力された入力画像ＷＩＭを第１視認方向ＥＤｆまたは第２視認方向ＥＤｓに対応させて検出する入力画像検出部４０と、入力画像検出部４０が検出した入力画像ＷＩＭに応じて第１視認方向表示画像ＤＩＭｆ／第２視認方向表示画像ＤＩＭｓを表示する構成としてある。
【０１２３】
また、本実施の形態に係る液晶表示電子機器１では、画像入力部３０への入力画像ＷＩＭの入力は、入力ペン３５で実行される構成としてあることを特徴とする。したがって、入力画像検出部４０（画像入力部３０）へ視差制御を施した入力画像ＷＩＭの入力を容易かつ高精度に実行することが可能で、入力画像ＷＩＭを表示画像ＤＩＭとして表示することが可能な液晶表示電子機器１とすることができる。
【０１２４】
＜実施の形態２＞
図３Ａないし図９に基づいて、本実施の形態に係る入力ペンについて説明する。なお、基本的な構成は実施の形態１に示した入力ペン３５、液晶表示電子機器１と同様であるので、適宜援用し、主に異なる事項について説明する。
【０１２５】
図３Ａは、本発明の実施の形態２に係る入力ペンの概略構造を示す構造図であり、（Ａ）は正面図、（Ｂ）は平面図である。
【０１２６】
本実施の形態に係る入力ペン３５は、上述した実施の形態１に係る液晶表示電子機器１に適用される。つまり、液晶表示部１０と、液晶表示部１０に重畳して配置され液晶表示部１０が第１視認方向ＥＤｆに向けて第１視認方向表示画像ＤＩＭｆを表示し、第２視認方向ＥＤｓに向けて第２視認方向表示画像ＤＩＭｓを表示するように液晶表示部１０に対して視差制御を施す視差制御部２０と、視差制御部２０に重畳して配置され入力画像ＷＩＭが入力される画像入力部３０と、画像入力部３０へ入力された入力画像ＷＩＭを第１視認方向ＥＤｆまたは第２視認方向ＥＤｓに対応させて検出する入力画像検出部４０と、入力画像検出部４０が検出した入力画像ＷＩＭに応じて第１視認方向表示画像ＤＩＭｆ／第２視認方向表示画像ＤＩＭｓを表示する構成とされた液晶表示電子機器１に適用される。
【０１２７】
入力ペン３５は、画像入力部３０に対向する板状の先端板部３６と、先端板部３６に交差する方向で先端板部３６に自在連結部３７を介して連結された棒状の胴体部３８とを備える。また、先端板部３６は、ペン先を表示するペン先方向目印３６ｄを備える。ペン先方向目印３６ｄによってペン先を正常な方向で使用することが可能となる。
【０１２８】
したがって、先端板部３６を高精度に画像入力部３０に当接させることが可能となることから、視差制御を受けた状態の入力画像ＷＩＭとして入力画像検出部４０で先端板部３６を検出することが可能となるので、視差制御部２０を有する液晶表示電子機器１に対して容易に入力画像ＷＩＭを検出させ、表示画像ＤＩＭとして表示させることができる。
【０１２９】
先端板部３６は、周囲の光度が明るい状態では、外光ＬＬによって例えば影信号ＳＬＳを生じることから、入力画像検出部４０で影信号ＬＳＬを光信号ＬＳとして検出することが可能となる。影信号ＳＬＳを検出する場合は、入力画像検出部４０での検出結果を反転させることによって、画像表示信号Ｓｄｉｍを生成することが可能となる。
【０１３０】
つまり、先端板部３６の形状によって生じる影信号ＳＬＳを光信号ＬＳとして検出することが可能となることから、容易に入力画像ＷＩＭを入力することができる。なお、先端板部３６の形状については、図４で説明する。
【０１３１】
また、先端板部３６は、画像入力部３０に対向する面に入力画像検出部４０で検出される認識マーク３６ｓを有する。この場合は、認識マーク３６ｓに応じた光信号ＬＳを発生させることも可能である。つまり、認識マーク３６ｓは、例えば蓄光性の蛍光体で形成された場合、光信号ＬＳを発生させることが可能である。認識マーク３６ｓとしては、蛍光体の他に特定の波長の光（例えば、赤／青／緑）を反射する構成とし、特定の波長の光を入力画像検出部４０で検出する構成とすることも可能である。なお、認識マーク３６ｓの詳細については、図５Ａないし図５Ｄで説明する。
【０１３２】
この構成により、認識マーク３６ｓを光信号ＬＳとして入力画像検出部４０で検出することが可能となることから、液晶表示電子機器１に対して容易かつ高精度に入力画像ＷＩＭを検出させることができる。
【０１３３】
また、先端板部３６は、透光性材料（例えば、可視光を透過する合成樹脂）で形成することも可能である。この場合は、認識マーク３６ｓおよび画像入力部３０の状態を外側（胴体部３８の方、つまり操作者ＯＰの側）から容易に認識することが可能となることから、操作性を向上させることができる。また、このときは、先端板部３６による影信号ＳＬＳは発生しないことから、認識マーク３６ｓが例えば影信号ＳＬＳを光信号ＬＳとして、あるいは蓄光性の蛍光体などからの光信号ＬＳとして形成することとなる。
【０１３４】
認識マーク３６ｓおよび認識マーク３６ｓに対応する領域の先端板部３６は、透光性材料で形成することも可能である。この場合は、認識マーク３６ｓに対応する領域以外の領域の先端板部３６は遮光性としてあり、認識マーク３６ｓに対応させた光信号ＬＳを画像入力部３０へ入力することが可能となり、認識マーク３６ｓの位置での画像入力部３０の状態を外部から容易に認識して認識マーク３６ｓを高精度に操作することが可能となることから、画像入力の精度および操作性を向上させることができる。
【０１３５】
認識マーク３６ｓは、認識マーク３６ｓに対する外光を反射するハーフミラーで形成することも可能である。この場合は、認識マーク３６ｓによる影信号ＳＬＳを画像入力部３０へ光信号ＬＳとして入力すると共に、画像入力部３０の状態を外部から容易に認識することが可能となることから、精度および操作性を向上させることができる。
【０１３６】
図３Ｂは、図３Ａに示した入力ペンの使用状態を示す構造図であり、（Ａ）は正面図、（Ｂ）は平面図である。
【０１３７】
本実施の形態に係る入力ペン３５では、胴体部３８は、先端板部３６に取り付けられ胴体部３８を自在に屈曲する自在連結部３７を介して先端板部３６に連結してある。つまり、胴体部３８は、先端板部３６に対して屈曲方向ＭＯＶで自由に移動させることが可能とされている。
【０１３８】
したがって、操作者ＯＰにより操作されるときに画像入力部３０の表面に対する追随性を向上させることが可能となり、高精度に操作性良く画像入力が可能な入力ペン３５とすることができる。
【０１３９】
なお、自在連結部３７は、例えば自在継ぎ手などを適用して実現することが可能である。
【０１４０】
図４は、図３Ａに示した入力ペンの先端板部の構造例を示す平面図であり、（Ａ）は円形、（Ｂ）は三角形、（Ｃ）は正方形、（Ｄ）は台形とした場合である。
【０１４１】
円形とした場合は、入力ペン３５を移動させたとき入力画像検出部４０で検出する線幅を一定とすることができることから、例えば画像としての文字を入力する場合に適している。
【０１４２】
三角形、正方形、台形の場合は、一定の方向性を有することから、例えばゲームなどで図形固有の特性（例えばキャラクタの進路方向の指定）を持たせる場合などに適用することが可能である。
【０１４３】
特に、三角形などの角のある多角形は、位置（例えば、全体位置）、方向（例えば、全体方向）、複数の角方向（例えば、重心点と角を結ぶ方向）を有することから、例えばゲームなどで図形固有の特性（例えばキャラクタの位置、キャラクタの進路方向、複数の銃の玉の方向の指定）を持たせる場合などに適用することが可能である。
【０１４４】
特に、正方形などの正多角形は、位置（例えば、全体位置）、複数方向（例えば、全体方向）、複数の角方向（例えば、重心点と角を結ぶ方向）及び、重心点を中心とした回転対象（例えば、正三角形であれば、１２０度回転対称、正方形であれば、９０度回転対象）を有することから、例えばゲームなどで図形固有の特性（例えば、ペンの回転合致を利用したゲーム）を持たせる場合などに適用することが可能である。
【０１４５】
特に、台形などの矢印性のある形状は、位置（全体位置）、一方向（全体方向）、複数の角方向（例えば、重心点と角を結ぶ方向）を有することから、例えばゲームなどで図形固有の特性（例えばキャラクタの位置、キャラクタの進路方向、複数の銃の玉の方向の指定）を持たせる場合などに適用することが可能である。
【０１４６】
特に、二等辺三角形や正三角形などの三角形は、高精度に図形固有特性を持たせること場合などに適用すること可能である。
【０１４７】
先端板部３６は、胴体部３８に対して取り外し可能な構成としてあることが望ましい。この構成により、先端板部３６を交換して方向性の有無の切り替え、あるいは大小２種類の認識マーク３６ｓの切り替えなどを実行することが可能となり、操作性あるいは入力精度（検出精度）を切り替えることができる。
【０１４８】
なお、取り外し機構は、先端板部３６と自在連結部３７との間にねじ機構を配置することなどで実現することが可能となる。
【０１４９】
図５Ａは、図４（Ａ）に示した円形の先端板部に形成した認識マークの実施例を示す平面図であり、（Ａ）は小円形、（Ｂ）は大円形、（Ｃ）は小輪形、（Ｄ）は大輪形とした場合である。
【０１５０】
認識マーク３６ｓを先端板部３６の直径に対して比較的小さい直径の小円形とした場合（同図（Ａ））は、認識マーク３６ｓを先端板部３６の直径に対して比較的近い大きい直径の大円形とした場合（同図（Ｂ））に比較して分解能を向上させることが可能となる。つまり、視差制御ピッチＰｐが小さい場合に適している。
【０１５１】
小輪形（同図（Ｃ））とした認識マーク３６ｓは小円形の認識マーク３６ｓと同様の特性を有し、大輪形（同図（Ｄ））とした認識マーク３６ｓは大円形の認識マーク３６ｓと同様の特性を有する。また、小輪形または大輪形とした認識マーク３６ｓの中央の空間は、例えば発光部３９（実施の形態３、図１０Ａ参照）を適用した場合に導光路３９ｐ（実施の形態３、図１０Ａ参照）として利用することが可能となる。
【０１５２】
図５Ｂは、図４（Ａ）に示した円形の先端板部に形成した認識マークの実施例を示す平面図であり、（Ａ）は小三角形、（Ｂ）は大三角形、（Ｃ）は小三角枠形、（Ｄ）は大三角枠形とした場合である。
【０１５３】
認識マーク３６ｓを先端板部３６の直径に対して比較的小さい小三角形とした場合（同図（Ａ））は、認識マーク３６ｓを先端板部３６の直径に対して比較的近い大三角形とした場合（同図（Ｂ））に比較して分解能を向上させることが可能となる。つまり、視差制御ピッチＰｐが小さい場合に適している。
【０１５４】
小三角枠形（同図（Ｃ））とした認識マーク３６ｓは小三角形の認識マーク３６ｓと同様の特性を有し、大三角枠形（同図（Ｄ））とした認識マーク３６ｓは大三角形の認識マーク３６ｓと同様の特性を有する。また、小三角枠形または大三角枠形とした認識マーク３６ｓの中央の空間は、例えば発光部３９を適用した場合に導光路３９ｐとして利用することが可能となる。
【０１５５】
なお、小三角形（同図（Ａ））、大三角形（同図（Ｂ））、小三角枠形（同図（Ｃ））、大三角枠形（同図（Ｄ））の認識マーク３６ｓは、いずれも正三角形（正多角形としての頂点の数を３とした場合）であることが望ましい。この構成により、簡単な形状で高精度に方向性の検出が可能となる。
【０１５６】
図５Ｃは、図４（Ａ）に示した円形の先端板部に形成した認識マークの実施例を示す平面図であり、（Ａ）は小正方形、（Ｂ）は大正方形、（Ｃ）は小額縁形、（Ｄ）は大額縁形とした場合である。
【０１５７】
認識マーク３６ｓを先端板部３６の直径に対して比較的小さい小正方形とした場合（同図（Ａ））は、認識マーク３６ｓを先端板部３６の直径に対して比較的近い大正方形とした場合（同図（Ｂ））に比較して分解能を向上させることが可能となる。つまり、視差制御ピッチＰｐが小さい場合に適している。
【０１５８】
小額縁形（同図（Ｃ））とした認識マーク３６ｓは小正方形の認識マーク３６ｓと同様の特性を有し、大額縁形（同図（Ｄ））とした認識マーク３６ｓは大正方形の認識マーク３６ｓと同様の特性を有する。また、小額縁形または大額縁形とした認識マーク３６ｓの中央の空間は、例えば発光部３９を適用した場合に導光路３９ｐとして利用することが可能となる。
【０１５９】
上述したとおり、認識マーク３６ｓは、正多角形で構成してあることが望ましい。この構成により、複数方向での方向性を高精度に検出することが可能となることから、方向性を有する入力画像ＷＩＭを入力することができる。
【０１６０】
図５Ｄは、図４（Ａ）に示した円形の先端板部に形成した認識マークの実施例を示す平面図であり、（Ａ）は楔形、（Ｂ）は台形、（Ｃ）は台付楔形、（Ｄ）は家形５角形とした場合である。
【０１６１】
図５Ｂ、図５Ｃでは、認識マーク３６ｓの形状を正多角形としたが、その他の多角形とすることが可能である。例えば、楔形（同図（Ａ））、台形（同図（Ｂ））、台付楔形（同図（Ｃ））、家型５角形（同図（Ｄ））などとすることが可能である。多角形とすることによって、入力画像ＷＩＭの方向性を容易に検出させることが可能となる。
【０１６２】
図６は、図５Ａ（Ａ）／（Ｂ）に示した円形の認識マークの大きさと視差制御部の視差制御ピッチの大きさとの関係を示す概念図であり、（Ａ）は認識マークの直径を視差制御ピッチと同程度とした状態での視差制御の影響を示す概念図、（Ｂ）は認識マークの直径を視差制御ピッチの２倍と同程度とした状態での視差制御の影響を示す概念図、（Ｃ）は認識マークの直径を視差制御ピッチの３倍と同程度とした状態での視差制御の影響を示す概念図、（Ｄ）は認識マークの直径を視差制御ピッチの４倍と同程度とした状態での視差制御の影響を示す概念図である。
【０１６３】
視差制御部２０は、図２Ａで説明したとおり、入力画像ＷＩＭとしての光信号ＬＳを透過する透過領域２０ｔと遮光する遮光領域２０ｓに分かれる。なお、視差制御ピッチＰｐ（透過領域２０ｔ）に対応して１対１で入力画像検出部４０の要素としての光電変換素子４１が配置してあるものとする。
【０１６４】
したがって、認識マーク３６ｓの直径の大きさと視差制御ピッチＰｐの大きさとの関係に従って、視差制御部２０（透過領域２０ｔ）を通過して入力画像検出部４０に検出される場合と、視差制御部２０（遮光領域２０ｓ）で遮光され入力画像検出部４０に検出されない場合とが生じる。
【０１６５】
つまり、認識マーク３６ｓの直径を視差制御ピッチＰｐと同程度（同図（Ａ））とした場合、認識マーク３６ｓが視差制御部２０（遮光領域２０ｓ）に重畳したときは、遮光領域２０ｓによって遮光され、入力画像ＷＩＭとしての光信号ＬＳを入射することができないことから、入力画像検出部４０で正常に光信号ＬＳを検出することができない状態となる。
【０１６６】
また、認識マーク３６ｓの直径を視差制御ピッチＰｐの２倍と同程度（同図（Ｂ））とした場合、認識マーク３６ｓの中央が透光領域２０ｔの中央に重畳したときは光信号ＬＳを入力画像検出部４０で検出することが可能となる。しかし、認識マーク３６ｓが透光領域２０ｔ、遮光領域２０ｓにまたがったときは光信号ＬＳが小さく入力画像検出部４０での検出が困難となる恐れがある。また、認識マーク３６ｓの中央が遮光領域２０ｓの中央に重畳した状態では、入力画像検出部４０で正常に光信号ＬＳを検出することは困難である。
【０１６７】
また、認識マーク３６ｓの直径を視差制御ピッチＰｐの３倍と同程度（同図（Ｃ））とした場合、認識マーク３６ｓの中央が透光領域２０ｔの中央に重畳したときは光信号ＬＳを入力画像検出部４０で確実に検出することが可能となる。また、認識マーク３６ｓの中央が遮光領域２０ｓの中央に重畳した状態では、遮光領域２０ｓの両側の透光領域２０ｔによって光信号ＬＳが透過されることから入力画像検出部４０で光信号ＬＳを確実に検出することができる。
【０１６８】
また、認識マーク３６ｓの直径を視差制御ピッチＰｐの４倍と同程度（同図（Ｄ））とした場合、認識マーク３６ｓの位置によらず確実に光信号ＬＳを２つの透光領域２０ｔで透過させることが可能となることから、確実かつ高精度に入力画像検出部４０で光信号ＬＳを検出することができる。
【０１６９】
上述したとおり、認識マーク３６ｓは、視差制御部２０が有する視差制御ピッチＰｐの大きさに対して３倍以上の大きさの直径を有する円形としてあることが望ましい。この構成により、視差制御部２０による入力画像ＷＩＭの欠落を防止して高精度の画像入力を実行することが可能となる。
【０１７０】
図７は、図６（Ｃ）（Ｄ）で示した円形の認識マークによる光信号が入力画像検出部で検出される状態を概念的に示す概念図である。
【０１７１】
認識マーク３６ｓの直径を視差制御ピッチＰｐに対して３倍、４倍とした場合は図示したとおり入力画像検出部４０（光電変換素子４１）で光信号ＬＳを容易かつ高精度に検出することが可能となる。
【０１７２】
つまり、認識マーク３６ｓの直径を視差制御ピッチＰｐの３倍と同程度とした場合（図７で左側の認識マーク３６ｓ）には、認識マーク３６ｓに対応する光信号ＬＳは、少なくとも１つの透光領域２０ｔで入力画像検出部４０（光電変換素子４１）によって検出される。
【０１７３】
また同様に、認識マーク３６ｓの直径を視差制御ピッチＰｐの４倍と同程度とした場合（図７で右側の認識マーク３６ｓ）には、認識マーク３６ｓに対応する光信号ＬＳは、少なくとも１つの透光領域２０ｔで入力画像検出部４０（光電変換素子４１）によって検出される。
【０１７４】
図８は、図５Ｂ（Ａ）、図５Ｄ（Ｂ）で示した多角形の認識マークによる光信号が入力画像検出部で検出される状態を概念的に示す概念図である。
【０１７５】
多角形（三角形）とした認識マーク３６ｓの太い領域部分が入力画像検出部４０に対応する場合は、入力画像検出部４０（光電変換素子４１）によって認識マーク３６ｓに対応する光信号ＬＳを検出することが可能となる。
【０１７６】
他方、多角形とした認識マーク３６ｓでは細い領域が存在する場合がある。例えば三角形とした多角形は高さ方向で細くなり入力画像検出部４０（光電変換素子４１）での光信号ＬＳの検出が不安定になり方向性を検出することができなくなる恐れがある（図８の左側の認識マーク３６ｓ）。
【０１７７】
したがって、多角形とする場合には、視差制御ピッチＰｐに対して余裕のある大きさにしておくことが必要となる。図８の右側の認識マーク３６ｓでは、高さを十分持たせることによって先端に近い領域で入力画像検出部４０（光電変換素子４１）による検出が可能となっている。
【０１７８】
図９は、図６（Ｃ）（Ｄ）で示した円形の認識マークによって入力された入力画像が入力画像検出部で検出される状態を概念的に示す概念図であり、（Ａ）は入力画像が入力された軌跡を示す平面概念図であり、（Ｂ）は入力画像検出部での検出結果に基づく画像演算処理で求められた入力画像の抽出状態を示す平面概念図である。
【０１７９】
入力画像ＷＩＭは、先端板部３６（認識マーク３６ｓ）によって例えば矢符ＷＷの位置で直線状に入力されたものとしてある（図９（Ａ））。つまり、画像入力部３０で認識マーク３６ｓに対応する入力画像ＷＩＭが入力された状態となっている。入力画像ＷＩＭに対して、透光領域２５ｔ（入力画像検出部４０、つまり光電変換素子４１）、遮光領域２５ｓが交互に配置された状態を対応させている。
【０１８０】
入力画像ＷＩＭに対して、入力画像検出部４０（光電変換素子４１）での検出結果に基づいて画像演算処理を施す（図９（Ｂ））。つまり、遮光領域２５ｓに対応する領域では光信号ＬＳが存在しないことから、認識マーク３６ｓに対応する入力画像ＷＩＭから遮光領域２５ｓに対応する面積を画像演算処理として引き算した状態を示している。
【０１８１】
したがって、最終的には、図９（Ｂ）で網掛けをした領域が入力画像検出部４０で検出された入力画像ＷＩＭとなる。また、最終的に検出した入力画像ＷＩＭに対して中心線を抽出する画像演算処理を施すことによって例えば中心線ＣＬを抽出することが可能となる。
【０１８２】
＜実施の形態３＞
図１０Ａおよび図１０Ｂに基づいて、本実施の形態に係る入力ペンについて説明する。なお、基本的な構成は実施の形態２に示した入力ペン３５特徴とする同様であるので、適宜援用し、主に異なる事項について説明する。
【０１８３】
図１０Ａは、本発明の実施の形態３に係る入力ペンの概略構造を示す正面図である。図１０Ｂは、図１０Ａに示した入力ペンの使用状態を示す正面図である。
【０１８４】
本実施の形態に係る入力ペン３５は、胴体部３８に内蔵された発光部３９と、発光部３９からの光信号ＬＳを入力画像ＷＩＭとして画像入力部３０へ導光する導光路３９ｐとを備える。したがって、容易かつ高精度に入力画像ＷＩＭを形成することが可能となることから、視差制御を施した入力画像ＷＩＭの入力を容易かつ高精度に実行することができる。
【０１８５】
発光部３９は、発光制御スイッチ３９ｓ、発光制御部３９ｃ、発光素子３９ｄを備える。発光制御スイッチ３９ｓによって発光制御部３９ｃを動作させ、発光制御部３９ｃによって発光素子３９ｄを駆動することによって発光素子３９ｄから光信号ＬＳを発生させる。
【０１８６】
その他の構成は、基本的に実施の形態２と同様とすることが可能である。例えば、認識マーク３５ｓは、外部から画像入力部３０の状態を把握するために適用することが可能である。また、胴体部３８の傾斜を例えば視認方向ＥＤに一致させることによって、光信号ＬＳを視差制御に同期させることが可能となり、高精度に入力画像ＷＩＭを検出することができる。
【０１８７】
発光部３９の発光色は、赤系、青系、緑系、または白色系のいずれか一つとすることが可能である。したがって、液晶表示部１０が有するカラーフィルタ１４と発光色との組み合わせによる光信号ＬＳの識別が可能となることから、視差制御を施した入力画像ＷＩＭの入力を容易かつ高精度に実行することができる。
【０１８８】
また、発光部３９の発光色は、赤系、青系、緑系、または白色系の内２色以上で切り替え可能な構成とすることが可能である。したがって、液晶表示部１０が有するカラーフィルタ１４と発光色との組み合わせによる光信号ＬＳの識別が可能となることから、視差制御を施した入力画像ＷＩＭの入力を容易かつ高精度に実行することができる。
【０１８９】
また、発光部３９の発光色は、白色系で切り替え可能な構成とすることが可能である。したがって、液晶表示部１０が有するカラーフィルタ１４に対して入力画像ＷＩＭを均等に入射することが可能となることから、文字に関する画像入力を容易かつ高精度に検出することができる。
【０１９０】
上述したとおり、本実施の形態で示す発光部３９を備える入力ペン３５では、発光部３９からの発光出力は、入力画像検出部４０（光電変換素子４１）でそのまま光信号ＬＳとして検出される。
【０１９１】
したがって、先端板部３６、認識マーク３６ｓの構造を簡略化することが可能となる。
【０１９２】
＜実施の形態４＞
図１１に基づいて、本実施の形態に係る液晶表示電子機器について説明する。なお、基本的な構成は実施の形態１に示した液晶表示電子機器１と同様であるので、適宜援用し、主に異なる事項について説明する。
【０１９３】
図１１は、本発明の実施の形態４に係る液晶表示電子機器の外観を示す平面図であり、（Ａ）は２人の操作者によって操作される状態を示し、（Ｂ）は１人の操作者によって操作される状態を示す。
【０１９４】
液晶表示電子機器１は、入力ペン３５を裏面に収納できる構成としてある。したがって、操作者ＯＰは、適時に入力ペン３５を取り出して操作することが可能となり、操作性、利便性に優れた液晶表示電子機器１とすることができる。
【０１９５】
その他の構成は、実施の形態１の液晶表示電子機器１と同様であるので説明は省略する。
【０１９６】
＜実施の形態５＞
図１２に基づいて本実施の形態に係る液晶表示電子機器の構成について説明する。本実施の形態に係る液晶表示電子機器は、実施の形態１に係る液晶表示電子機器１と同様であるので、実施の形態１の説明を適宜適用して説明する。なお、第１視認方向ＥＤｆ、第２視認方向ＥＤｓいずれに対しても同様な構成とすることが可能であるので、以下では、視認方向は適宜省略して説明する。
【０１９７】
図１２は、本発明の実施の形態５に係る液晶表示電子機器の機能構成ブロックの概略を示すブロック図である。
【０１９８】
本実施の形態に係る液晶表示電子機器１は、機能構成部ロックとして、制御部５、画像演算処理部６、記憶部８を備える。また、液晶表示部１０、液晶駆動部１３、視差制御部２０、画像入力部３０、入力画像検出部４０、画像表示信号生成部５０、操作部６０（操作入力インターフェイス６１）が適宜接続されている。
【０１９９】
液晶表示電子機器１は、さらに、入力ペン３５の仕様に応じて画像演算処理を実行するために、入力ペン仕様指定手段６ｐを備える。つまり、入力ペン仕様指定手段６ｐによって適用される入力ペン３５の先端板部３６の形状、認識マーク３６ｓの形状、発光型、非発光型などの入力ペン３５の仕様を適宜指定することが可能な構成としてある。
【０２００】
したがって、先端板部３６の交換、認識マーク３６ｓの変更に応じて画像演算処理の演算式を変更することが可能な構成としてある。つまり、入力ペン３５の認識マーク３６ｓが変更された場合に適宜対応することが可能となる。
【０２０１】
制御部５は、中央処理装置（ＣＰＵ：Ｃｅｎｔｒａｌ  Ｐｒｏｃｅｓｓｉｎｇ  Ｕｎｉｔ）で構成され、予め記憶部８に記憶（インストール）されたコンピュータプログラムに基づいて、画像演算処理部６、記憶部８、液晶表示部１０、液晶駆動部１３、視差制御部２０、画像入力部３０、入力画像検出部４０、画像表示信号生成部５０、操作部６０（操作入力インターフェイス６１）に対する制御および連係動作を実行する。
【０２０２】
画像演算処理部６は、入力画像検出部４０で検出された入力画像ＷＩＭに各種の画像演算処理を施す。例えば、入力許容領域３１へ入力された入力画像ＷＩＭを検出し、検出した入力画像ＷＩＭを画像表示面１０ｄに表示画像ＤＩＭとして表示する処理を実行する。画像演算処理は、基本的にコンピュータプログラム（画像演算処理プログラム）を適用して実行することが可能である。
【０２０３】
画像演算処理部６は、入力ペン仕様指定手段６ｐによって指定された入力ペン３５の仕様に応じて適宜の演算式を採用して画像演算処理を入力画像ＷＩＭに対して施す構成としてある。
【０２０４】
また、画像演算処理部６は、入力画像検出部４０で検出された入力画像ＷＩＭに画像演算処理を施して入力画像ＷＩＭに対応する画像表示信号Ｓｄｉｍを生成する画像表示信号生成部５０を併せて備える。また、入力画像処理部６ｆ、画像複製処理部６ｓを備える。
【０２０５】
入力画像処理部６ｆは、入力画像ＷＩＭ（第１視認方向入力画像ＷＩＭｆ／第２視認方向入力画像ＷＩＭｓ）に対する画像演算処理を施して表示画像ＤＩＭ（第１視認方向表示画像ＤＩＭｆ／第２視認方向表示画像ＤＩＭｓ）を第１表示領域１０ｆ／第２表示領域１０ｓに表示するために必要な画像信号を画像表示信号生成部５０へ送信し、第１表示領域１０ｆ／第２表示領域１０ｓに第１視認方向表示画像ＤＩＭｆ（第１表示領域１０ｆに表示された三角図形）／第２視認方向表示画像ＤＩＭｓに表示された円図形）を表示する構成としてある（図１Ａ参照）。
【０２０６】
画像複製処理部６ｓは、入力画像ＷＩＭ（第１視認方向入力画像ＷＩＭｆ／第２視認方向入力画像ＷＩＭｓ）に対する画像演算処理を施して表示画像ＤＩＭ（第１視認方向表示画像ＤＩＭｆ／第２視認方向表示画像ＤＩＭｓ）を第３表示領域１０ｔに拡大して表示するために必要な画像信号を画像表示信号生成部５０へ送信し、第３表示領域１０ｔに第１視認方向表示画像ＤＩＭｆを表示する構成としてある（図１Ａ参照）。
【０２０７】
記憶部８には、実施の形態１で説明した各画像処理を実行するためのコンピュータプログラムが予めインストールしてある。また、必要に応じて入力画像ＷＩＭの画像情報、表示画像ＤＩＭの画像情報を一時的に記憶することが可能な構成としてある。
【０２０８】
液晶表示部１０、液晶駆動部１３、視差制御部２０、画像入力部３０、入力画像検出部４０の機能は実施の形態１で説明したとおりである。なお、画像入力は操作者ＯＰが外部に配置された発光型入力ペン３５を利用して画像入力部３０に対して実行することが可能である。
【０２０９】
また、操作部６０から適宜の指示を液晶表示電子機器１に対して実行することが可能である。操作部６０の構成を簡略化するために、画面にメニューを表示するメニュー形態でプログラムを実行する形式としてある。また、操作部６０からの操作を制御部５に伝達するために操作入力インターフェイス６１が制御部５と操作部６０との間に配置してある。
【図面の簡単な説明】
【０２１０】
【図１Ａ】本発明の実施の形態１に係る液晶表示電子機器の概略構成および視差制御された表示状態を概念的に示す平面図である。
【図１Ｂ】図１Ａに示した液晶表示電子機器の矢符Ｘ方向から見た側面状態を透視的に示す透視側面図である。
【図２Ａ】図１Ｂに示した液晶表示電子機器の領域Ｙ１（第１表示領域、第１視認方向入力許容領域）の断面状態を拡大して第１視認方向での画像の入力状態を概念的に示す入力概念説明図である。
【図２Ｂ】図２Ａで入力した画像を第１視認方向で表示／視認するときの表示状態を概念的に示す表示概念説明図である。
【図２Ｃ】図１Ｂに示した液晶表示電子機器の領域Ｙ２（第３表示領域）の断面状態を拡大して第１視認方向および第２視認方向で画像を表示／視認するときの表示状態を概念的に示す表示概念説明図である。
【図３Ａ】本発明の実施の形態２に係る入力ペンの概略構造を示す構造図であり、（Ａ）は正面図、（Ｂ）は平面図である。
【図３Ｂ】図３Ａに示した入力ペンの使用状態を示す構造図であり、（Ａ）は正面図、（Ｂ）は平面図である。
【図４】図３Ａに示した入力ペンの先端板部の構造例を示す平面図であり、（Ａ）は円形、（Ｂ）は三角形、（Ｃ）は正方形、（Ｄ）は台形とした場合である。
【図５Ａ】図４（Ａ）に示した円形の先端板部に形成した認識マークの実施例を示す平面図であり、（Ａ）は小円形、（Ｂ）は大円形、（Ｃ）は小輪形、（Ｄ）は大輪形とした場合である。
【図５Ｂ】図４（Ａ）に示した円形の先端板部に形成した認識マークの実施例を示す平面図であり、（Ａ）は小三角形、（Ｂ）は大三角形、（Ｃ）は小三角枠形、（Ｄ）は大三角枠形とした場合である。
【図５Ｃ】図４（Ａ）に示した円形の先端板部に形成した認識マークの実施例を示す平面図であり、（Ａ）は小正方形、（Ｂ）は大正方形、（Ｃ）は小額縁形、（Ｄ）は大額縁形とした場合である。
【図５Ｄ】図４（Ａ）に示した円形の先端板部に形成した認識マークの実施例を示す平面図であり、（Ａ）は楔形、（Ｂ）は台形、（Ｃ）は台付楔形、（Ｄ）は家形５角形とした場合である。
【図６】図５Ａ（Ａ）／（Ｂ）に示した円形の認識マークの大きさと視差制御部の視差制御ピッチの大きさとの関係を示す概念図であり、（Ａ）は認識マークの直径を視差制御ピッチと同程度とした状態での視差制御の影響を示す概念図、（Ｂ）は認識マークの直径を視差制御ピッチの２倍と同程度とした状態での視差制御の影響を示す概念図、（Ｃ）は認識マークの直径を視差制御ピッチの３倍と同程度とした状態での視差制御の影響を示す概念図、（Ｄ）は認識マークの直径を視差制御ピッチの４倍と同程度とした状態での視差制御の影響を示す概念図である。
【図７】図６（Ｃ）（Ｄ）で示した円形の認識マークによる光信号が入力画像検出部で検出される状態を概念的に示す概念図である。
【図８】図５Ｂ（Ａ）、図５Ｄ（Ｂ）で示した多角形の認識マークによる光信号が入力画像検出部で検出される状態を概念的に示す概念図である。
【図９】図６（Ｃ）（Ｄ）で示した円形の認識マークによって入力された入力画像が入力画像検出部で検出される状態を概念的に示す概念図であり、（Ａ）は入力画像が入力された軌跡を示す平面概念図であり、（Ｂ）は入力画像検出部での検出結果に基づく画像演算処理で求められた入力画像の抽出状態を示す平面概念図である。
【図１０Ａ】本発明の実施の形態３に係る入力ペンの概略構造を示す正面図である。
【図１０Ｂ】図１０Ａに示した入力ペンの使用状態を示す正面図である。
【図１１】本発明の実施の形態４に係る液晶表示電子機器の外観を示す平面図であり、（Ａ）は２人の操作者によって操作される状態を示し、（Ｂ）は１人の操作者によって操作される状態を示す。
【図１２】本発明の実施の形態５に係る液晶表示電子機器の機能構成ブロックの概略を示すブロック図である。
【符号の説明】
【０２１１】
１  液晶表示電子機器
１ｃ  筐体
５  制御部
１０  液晶表示部
１０ｄ  画像表示面
１０ｆ  第１表示領域
１０ｓ  第２表示領域
１０ｔ  第３表示領域
１１、１１ａ〜１１ｋ  表示制御液晶層
１３  液晶駆動部
１４  カラーフィルタ
１５  バックライト
２０  視差制御部
２０ｓ  遮光領域
２０ｔ  透光領域
２１、２１ａ〜２１ｍ  視差制御液晶層
３０  画像入力部
３１  入力許容領域
３１ｆ  第１視認方向入力許容領域
３１ｍ  入力許容領域マーク
３１ｓ  第２視認方向入力許容領域
３５  入力ペン
３５ｆ  第１入力ペン
３５ｓ  第２入力ペン
３６  先端板部
３６ｄ  ペン先方向目印
３６ｓ  認識マーク
３７  自在連結部
３８  胴体部
３９  発光部
３９ｃ  発光制御部
３９ｄ  発光素子
３９ｓ  発光制御スイッチ
３９ｐ  導光路
４０  入力画像検出部
４０ｆ  第１視認方向入力画像検出部
４０ｓ  第２視認方向入力画像検出部
４０ｖ  有効領域
４１、４１ａ〜４１ｋ  光電変換素子
５０  画像表示信号生成部
６０  操作部
６０ｆ  第１操作部
６０ｓ  第２操作部
ＤＩＭ  表示画像
ＤＩＭｆ  第１視認方向表示画像
ＤＩＭｓ  第２視認方向表示画像
ＥＤ  視認方向
ＥＤｆ  第１視認方向
ＥＤｓ  第２視認方向
Ｌ１、Ｌ２、Ｌ３  間隔
ＬＬ  外光
ＬＳ  光信号
ＯＰ  操作者
ＯＰｆ  第１視認方向操作者
ＯＰｓ  第２視認方向操作者
Ｐｐ  視差制御ピッチ
Ｓｄｉｍ  画像表示信号
ＳＬＳ  影信号
ＷＩＭ  入力画像
ＷＩＭｆ  第１視認方向入力画像
ＷＩＭｓ  第２視認方向入力画像
【図１Ａ】
2009205376.tif 000003
【図１Ｂ】
2009205376.tif 000004
【図２Ａ】
2009205376.tif 000005
【図２Ｂ】
2009205376.tif 000006
【図２Ｃ】
2009205376.tif 000007
【図３Ａ】
2009205376.tif 000008
【図３Ｂ】
2009205376.tif 000009
【図４】
2009205376.tif 000010
【図５Ａ】
2009205376.tif 000011
【図５Ｂ】
2009205376.tif 000012
【図５Ｃ】
2009205376.tif 000013
【図５Ｄ】
2009205376.tif 000014
【図６】
2009205376.tif 000015
【図７】
2009205376.tif 000016
【図８】
2009205376.tif 000017
【図９】
2009205376.tif 000018
【図１０Ａ】
2009205376.tif 000019
【図１０Ｂ】
2009205376.tif 000020
【図１１】
2009205376.tif 000021
【図１２】
2009205376.tif 000022